(57)【特許請求の範囲】
【請求項１】
コンクリート製マンホールの壁部に取付孔を設け、該取付孔にステップを取付けるステップ取付構造において、
前記取付孔の内壁面に設けられた環状段部と、
前記取付孔に挿入され、先端側が底によって閉塞されると共に周壁に設けられる複数の開口及び前記環状段部に着座するフランジを備えたスリーブと、
前記ステップの取付部と前記取付孔との間に前記スリーブの各開口を介して充填される接着剤と、
前記ステップの取付部に隣接した部分の周面に設けた被係止部と、
前記ステップの周囲に装着して配置され、前記被係止部に係合する係止部を有し、前記壁部の取付孔を塞ぐカバーリングとを備え、
前記被係止部は凹溝部から構成され、前記係止部は突起部から構成されており、
前記カバーリングは剛性部材から成り、前記ステップの取付部方向へ押し込まれて前記ステップの凹溝部に突起部が係合したとき、前記カバーリングの前面が前記スリーブのフランジに当接して、前記カバーリングが前記マンホール内壁面の取付孔を塞ぐと共に該取付孔に一部分が嵌入することを特徴とするステップ取付構造。
【請求項２】
前記ステップの取付部の外周面に凹部を形成することを特徴とする請求項１に記載のステップ取付構造。
【発明の詳細な説明】
【技術分野】
【０００１】
本発明は、上下水道、電力給電線、電話回線等を地下に敷設したときに構築されるマンホールの、ステップ取付構造に関するものである。
【背景技術】
【０００２】
通常、コンクリート製のマンホールの内壁面には、作業者が昇降するためのステップが鉛直方向に所定の間隔をおいて複数取り付けられ、全体としてはしご状のものが形成されている。このステップは、一般的に、概略コ字状を有しており、作業者が手足を掛ける中央部分と、これに続く両側部分とから構成されている。両側部分には、マンホール壁部に形成された取付孔に挿入される取付部が形成されている。取付部の先端部分にはねじ部が形成されており、取付部が前記取付孔に挿入されたときマンホール外壁側からパッキン及びワッシャを介したナットがこのねじ部に螺合されてステップはマンホールに取付け固定される。
【０００３】
また、下記特許文献１には、マンホール壁部に取り付けたステップの取付部近傍の壁部と接する位置にカバーリングを設ける発明が開示されている。この発明に係るカバーリングによれば、マンホールの壁部にステップを取り付けるための取付孔を形成する際に生じてしまう木端欠けを、カバーリングの内側面に設けた粘弾性の充填材によって埋めることができる。
【０００４】
【特許文献１】特開２０００−４５３１０号公報
【発明の開示】
【発明が解決しようとする課題】
【０００５】
しかしながら、上記特許文献１に記載されたカバーリングは、ステップ取付孔の木端欠けをふさぐ部材としては機能するものの、カバーリング自体が合成樹脂等の弾性材からなるものであるため、カバーリングによってステップの取付強度を補うという機能は有していなかった。また、該カバーリングは、壁部の反対側からナットを締め付けることによってマンホールの内壁面に圧接されるため、マンホールが構築された後は再度ナットの締め付けを行おうとしても容易ではなかった。
さらに、壁部の反対側からのナット締めによる方法ではなく、取付孔に接着剤を注入し、その取付孔にステップの取付部を挿入して接着剤の固化により固定する方法では、カバーリングの壁面への圧接強度は強いものではなかった。
【０００６】
そこで、本願発明はこのような事情に鑑みてなされたものであり、カバーリングにより、ステップの取付孔の内壁面側の開口部を塞ぐことができるステップ取付構造の提供を目的とするものである。また、カバーリング自体によってステップの取付強度を補うことができるステップ取付構造の提供を目的とするものである。
【課題を解決するための手段】
【０００７】
上記課題を解決するために、請求項１に係るステップ取付構造の発明は、コンクリート製マンホールの壁部に取付孔を設け、該取付孔にステップを取付けるステップ取付構造において、前記取付孔の内壁面に設けられた環状段部と、前記取付孔に挿入され、先端側が底によって閉塞されると共に周壁に設けられる複数の開口及び前記環状段部に着座するフランジを備えたスリーブと、前記ステップの取付部と前記取付孔との間に前記スリーブの各開口を介して充填される接着剤と、前記ステップの取付部に隣接した部分の周面に設けた被係止部と、前記ステップの周囲に装着して配置され、前記被係止部に係合する係止部を有し、前記壁部の取付孔を塞ぐカバーリングとを備え、前記被係止部は凹溝部から構成され、前記係止部は突起部から構成されており、前記カバーリングは剛性部材から成り、前記ステップの取付部方向へ押し込まれて前記ステップの凹溝部に突起部が係合したとき、前記カバーリングの前面が前記スリーブのフランジに当接して、前記カバーリングが前記マンホール内壁面の取付孔を塞ぐと共に該取付孔に一部分が嵌入することを特徴とするものである。
【０００８】
マンホールの壁部に設けたステップ取付孔の内壁面には環状段部が設けられ、該取付孔にスリーブが挿入され、スリーブのフランジが取付孔の環状段部に着座するようになる。また、スリーブの周壁には複数の開口が形成され、ステップの取付部と取付孔との間に前記スリーブの各開口を介して接着剤が充填される。
また、ステップは、例えば概略コ字状に形成され、作業者が手足を掛ける中央部と、該中央部の左右両側に、ほぼ直角に折れ曲がった両側部から構成されている。両側部には、壁部に形成されたステップ取付孔に挿入される取付部が設けられている。取付部は、両側部のそれぞれの先端部から壁部の厚さに応じて決定される所定の位置まで設けられている。また、両側部上であって取付部に隣接した位置（前記先端部から遠い側の位置）には、被係止部が形成されている。カバーリングは、ステップの両側部のそれぞれに取り付けられ、例えば概略ドーナッツ状を有している。カバーリングの中央部に設けられた貫通孔には、上記被係止部に係止する係止部が形成されている。ステップを取付孔に取り付ける際には、予めカバーリングはステップの両側部に嵌合させておき、取付後にカバーリングを先端部方向（取付部方向）へ移動させる（押し込んでいく、ねじ込んでいく）。これにより上記被係止部と係止部とが係止されると共に、カバーリングによってステップ取付孔が塞がれるあるいは覆われる。
さらに、カバーリングを取付部方向へ押し込むことにより、カバーリング側の突起部がステップ側の凹溝部に係止される。また、カバーリングの挿入方向先端部は取付孔内のスリーブに当接する。このときカバーリングはマンホールの内壁面と当接することなくその一部分がマンホール内壁面側の取付孔内に嵌入する。これにより剛性部材から成るカバーリングによってステップの取付強度を増加させることができ、特に、取付孔のマンホール内壁面側の開口部分のステップのガタツキを抑制することができる。
【０００９】
また、請求項２に係るステップ取付構造は請求項１の発明において、前記ステップの取付部の外周面に凹部を形成することを特徴とするものである。
【００１０】
ステップの取付部の凹部は、例えば、接着用樹脂を含有させた袋状のスポンジ等の抜け止めとして機能する。
【発明の効果】
【００１９】
本発明のステップ取付構造によれば、ステップの周囲に装着したカバーリングを、取付孔に挿入固定したステップの先端方向に押し込むことによって、マンホールの内壁面側開口部をカバーリングで覆い塞ぐことができる。また、ステップの被係止部にカバーリングの係止部が係止されてステップが固定されると共に、カバーリングの一部分が取付孔内に嵌入されステップの取付強度を増加させることができる。また、カバーリング面に介在させた充填材によってマンホール内壁面との隙間を埋め密接させることができる。
【発明を実施するための最良の形態】
【００２０】
以下、本発明に係るステップ取付構造の実施形態を添付図面に基づいて説明する。但し、図１及び図２に示す形態が、本出願人が特許請求の範囲に記載した発明に対応するものである。
図１、２に示す形態は、接着剤を使用してステップ２をマンホールの壁部１に取付固定した後、一部分を取付孔内に嵌入させて配設したカバーリングを使用する構造のものである。
図１は、マンホールの周壁（壁部）にステップを取り付けた状態を示す一部断面図である。コンクリートからなるマンホールの壁部１には、図２（ａ）に示されるように、ステップ２を取り付けるための取付孔３が形成されている。取付孔３は、マンホールの内壁面１ａ側から形成され、円形状を有し、径の異なる２つの孔部分３ｃ、３ｄからなり、その境には環状段部４が形成されている。なお、取付孔３は必ずしも壁部１を外壁面１ｂ側まで貫通させる必要はなく、壁部１の厚さに応じてその形態は決定すればよい。
【００２１】
図２（ｂ）は、取付孔３に挿入される有底円筒状のスリーブ３０である。スリーブ３０の一方の端部（先端側）は底によって閉塞されており、周壁には複数の開口３２が設けられている。スリーブ３０の他方の端部（根元側）には、スリーブ３０を取付孔３に挿入したとき取付孔３の環状段部４に着座するフランジ３１が設けられている。したがって上記孔部分３ｄの径はこのフランジ３１部が挿入できる大きさの径で、ほぼフランジ３１部の径と同じ大きさの径に形成されている。
【００２２】
図２（ｃ）は、ステップ２の側部２ｂを示すものである。側部２ｂには、マンホール壁部１に形成された取付孔３に挿入されて取り付けられる取付部９と、取付部９に隣接した位置に被係止部（凹部、凹溝部）３７が設けられている。取付部９には周方向に延びる複数の凹部３３が形成されている。被係止部３７には、この形態では、外周に並列して複数の凹溝３８が形成されている。ただし凹溝３８は少なくとも突起部（図２（ｄ）で後述）以上の数が形成されていればよい。
【００２３】
図２（ｄ）は、ステップ２の側部２ｂに装着されるカバーリング８の断面図を示す。カバーリング８は、例えばドーナッツ形状を有しており、中央部に貫通孔が形成され、貫通孔の周壁にはステップ２の被係止部と係止する係止部（凸部、突起部）３６が形成されている。カバーリング８は、例えば硬質プラスチック等の剛性部材から構成されている。カバーリング８の径は上記孔部分３ｄの径とほぼ同じ大きさの径に形成されており、側部２ｂの周囲に装着して配置される。カバーリング８をステップ２の取付部９方向に向かって押し込んだとき、突起部３６が凹溝部３７（いずれかの凹溝）に係止し、カバーリング８の一部分（先端部分）が孔部分３ｄ内に嵌入する構造となっている。
【００２４】
上述した図１、２の形態においてステップ２をマンホールの壁部１に取り付けるには、まず取付孔３内にマンホールの内壁面１ａ側からスリーブ３０を挿入する。スリーブ３０はフランジ３１部が取付孔３の環状段部４に当接するまで押し込む。次に、ステップ２の取付部９を取付孔３（取付孔３に挿入したスリーブ３０）内に挿入するが、このときカバーリング８は予め取付部９の雄ねじ部１０に螺合させ仮保持させておく。そして取付部９にエポキシ樹脂等からなる接着用樹脂を含有させた袋状のスポンジ等（図示は省略する）を装着させ取付孔３に挿入すればよい。取付部９の凹部３３は該スポンジの抜け止めとして機能する。スリーブの周壁の開口からスリーブの外部にはみ出した接着剤２１は、取付孔３の内壁面に到達し、ステップ２の取付部９は確実に取付孔３に接着される。
【００２５】
接着剤２１が固化した後にカバーリング８を側部２ｂに沿って押し込むことにより、カバーリング８はマンホールの内壁面１ａに当接することなく移動し、カバーリング８の突起部３６がステップ２の凹溝部３７に係止し、カバーリング８の一部分は取付孔３内（孔部分３ｄ内）に嵌入する。さらに押し込むとカバーリング８の前面３４がスリーブ３０のフランジ面３５に当接する。
【００２６】
これにより取付孔３のマンホール内壁面側開口部分（孔部分３ｄの開口部分）はカバーリング８によって完全に塞がれる。カバーリング８の一部分が取付孔３内に嵌入された状態で開口部分を塞ぐので、マンホールの径の大きさに係わらず、すなわち内壁面１ａの形状に影響されることなく、隙間なく開口部分を塞ぐことができる。また、カバーリング８は剛性部材からなるため、カバーリング８自体によって内壁面側開口部におけるステップ２の緩み及びガタツキを抑え取付強度を増加させることができる。
【００２７】
図３に、ステップ取付構造の別の形態を示す。この形態は、接着剤を使用する点では図１に示す形態と同様であるが、カバーリング８と側部２ｂとの係合をねじ手段によって行っている点で相違する構造のものである。
【００２８】
図４には、取付け固定される前の各部分の構造を示す。図４（ａ）は、マンホールの壁部１に形成されたステップ２の取付孔３であり、図２（ａ）に示した取付孔と同様である。図４（ｂ）は、取付孔３に挿入される有底円筒状のスリーブ３０であり、図２（ｂ）に示したスリーブと同様である。
【００２９】
図４（ｃ）は、ステップ２の側部２ｂを示すものである。側部２ｂには、マンホール壁部１に形成された取付孔３に挿入されて取り付けられる取付部９と、取付部９に隣接した位置に設けられ外周にねじが形成された雄ねじ部１０が設けられている。また取付部９には周方向に延びる複数の凹部３３が形成されている。
【００３０】
図４（ｄ）は、ステップ２の側部２ｂに装着されるカバーリング８の断面図を示す。カバーリング８は、例えばドーナッツ形状を有しており、中央部に貫通孔が形成され、貫通孔の周壁にはステップ２の雄ねじ部１０に螺合する雌ねじ部１２が形成されている。カバーリング８は、例えば硬質プラスチック等の剛性部材から構成されている。カバーリング８の径は上記孔部分３ｄの径とほぼ同じ大きさの径に形成されており、ステップ２の雄ねじ部１０に雌ねじ部１２を螺合させてカバーリング８をねじ込んだときに、カバーリング８の一部分（先端部分）が孔部分３ｄ内に嵌入する構造となっている。
【００３１】
上述した図３、４の形態においてステップ２をマンホールの壁部１に取り付けるには、まず取付孔３内にマンホールの内壁面１ａ側からスリーブ３０を挿入する。スリーブ３０はフランジ３１部が取付孔３の環状段部４に当接するまで押し込む。次に、ステップ２の取付部９を取付孔３（取付孔３に挿入したスリーブ３０）内に挿入するが、このときカバーリング８は予め取付部９の雄ねじ部１０に螺合させ仮保持させておく。そして取付部９にエポキシ樹脂等からなる接着用樹脂を含有させた袋状のスポンジ等（図示は省略する）を装着させ取付孔３に挿入すればよい。取付部９の凹部３３は該スポンジの抜け止めとして機能する。スリーブの周壁の開口からスリーブの外部にはみ出した接着剤２１は、取付孔３の内壁面に到達し、ステップ２の取付部９は確実に取付孔３に接着される。
【００３２】
このとき雄ねじ部１０はマンホールの内側（内壁面１ａよりも内側）、すなわち取付孔３からマンホール内に飛び出して配設されている。接着剤２１が固化した後にカバーリング８の雌ねじ部１２を雄ねじ部１０にねじ込むことにより、カバーリング８の一部分が取付孔３内（孔部分３ｄ内）に嵌入し、カバーリング８の前面３４がスリーブ３０のフランジ面３５に当接する。カバーリング8のねじ込み量によってフランジ面３５への圧接強度を容易に調節し直すことができる。
【００３３】
これにより取付孔３のマンホール内壁面側開口部分（孔部分３ｄの開口部分）はカバーリング８によって完全に塞がれる。カバーリング８の一部分が取付孔３内に嵌入された状態で開口部分を塞ぐので、マンホールの径の大きさに係わらず、すなわち内壁面１ａの形状に影響されることなく、隙間なく開口部分を塞ぐことができる。また、カバーリング８は剛性部材からなるため、カバーリング８自体によって内壁面側開口部におけるステップ２の緩み及びガタツキを抑え取付強度を増加させることができる。また、ねじを螺合させる構造を有しているため、接着剤２１が固まるまでの間はカバーリング８を内壁面１ａから離れた位置に仮保持させておくことが容易であり作業効率も良い。
【００３４】
図５、６に、ステップ取付構造の別の形態を示す。この形態は、接着剤を使用する点では図３に示す形態と同様であるが、カバーリング８を内壁面１ａに圧接させて配置させる点で相違する構造のものである。
図５は、マンホールの周壁（壁部）にステップを取り付けた状態を示す一部断面図である。マンホールの壁部１には、ステップ２を取り付けるための取付孔３が形成されている。取付孔３は、マンホールの内壁面１ａ側から形成され、円形状を有し、その深さはマンホールの外壁面１ｂ側まで貫通させない深さに形成する。
【００３５】
取付孔３に接着剤２１を充填し、そこにステップ２の取付部９を挿入する。このとき取付孔３からの接着剤２１の漏れを考慮して、エポキシ樹脂等からなる接着用樹脂を含有させた袋状のスポンジ等（図示は省略する）を取付部９に装着させてから取付孔３に挿入するようにしてもよい。なおステップ２の接着方法はこの形態に限定されず、例えば図１および図３で説明した形態のものであってもよい。
【００３６】
図６（ａ）は、ステップ２の一部分を示すものである。ステップ２は、例えば全体が概略コ字状を有している（図８に一例を示す）。図６（ａ）に示すステップ２は、作業者の足掛け部又は把持部になる中央部２ａと、中央部２ａから折れ曲がった部分である両側部６ｂ（図には一方の側部が記載されている）とから構成されている。側部２ｂには、マンホール壁部１に形成された取付孔３に挿入されて取り付けられる取付部９と、取付部９に隣接した位置に設けられ外周にねじが形成された雄ねじ部１０が設けられている。
【００３７】
図６（ｂ）は、ステップ２の側部２ｂに装着されるカバーリング８の断面図を、図６（ｃ）は、カバーリング８の斜視図を示す。カバーリング８は、例えばドーナッツ形状を有しており、中央部に貫通孔が形成され、貫通孔の周壁にはステップ２の雄ねじ部１０に螺合する雌ねじ部１２が形成されている。カバーリング８は、例えば硬質プラスチック等の剛性部材からなる形態のもの、あるいは弾性を有するプラスチック等からなる形態のもので構成されている。
【００３８】
上述した図５、６の形態においてステップ２をマンホールの壁部１に取り付けるには、まず先にカバーリング８を取付部９の雄ねじ部１０に螺合させ仮保持させた状態にする。そしてマンホールの壁部１に形成された取付孔３に接着剤２１を充填し、この状態でステップ２の取付部９を取付孔３に挿入する。このとき雄ねじ部１０はマンホールの内側（内壁面１ａよりも内側）、すなわち取付孔３からマンホール内に飛び出して配設されている。接着剤２１が固化した後にカバーリング８の雌ねじ部１２を雄ねじ部１０にねじ込むことにより、カバーリング８を内壁面１ａに圧接させる。カバーリング8のねじ込み量によって内壁面１ａへの圧接強度を容易に調節し直すことができる。
【００３９】
これによりカバーリング８によって取付孔３のマンホール内壁面側開口部分は覆われる。取付孔３を形成する際に生じる内壁面側開口部の木端欠けはこのカバーリング８によって覆い隠される。また、剛性部材からなる形態のカバーリング８を用いた場合には、カバーリング８自体によって内壁面側開口部におけるステップ２の緩み及びガタツキを抑え取付強度を増加させることができる。弾性材からなる形態のカバーリング８を用いた場合には、内壁面１ａに圧接されることによりカバーリング８が変形するため、内壁面１ａの形状が必ずしも平坦でなくても（例えば、曲面状を有する場合であっても）、カバーリング８は内壁面１ａに密着する。また、ねじを螺合させる構造を有しているため、接着剤２１が固まるまでの間はカバーリング８を内壁面１ａから離れた位置に仮保持させておくことが容易であり作業効率も良い。
【００４０】
尚、接着剤２１を用いる場合の、壁部１に形成する取付孔３の形態は、この他、外壁面１ｂ側まで貫通して形成されるものであってもよい（図示は省略）。その場合には、取付孔３に有底円筒状のスリーブを挿入しておき、そこに上記接着剤２１を含有するスポンジを装着したステップの取付部９を挿入させればよい。スリーブの先端側は上記底（有底円筒）によって閉塞されており、スリーブの周壁には複数の開口が設けられている。このスリーブの底によって壁部１の貫通孔（取付孔３）の外壁面１ｂ側を確実に塞ぐことができ、取付孔３内への地下水の浸入を防ぐことができる。また、スリーブの周壁の開口からスリーブの外部にはみ出した接着剤２１は、取付孔３の内壁面に到達するので、ステップ２の取付部９は確実に取付孔３に接着される。
【００４１】
この構造によれば、既に設置済みのマンホールに新しくステップ２を取り付ける場合、あるいは古くなったステップ２を交換する場合に、マンホールの内壁面１ａ側から行う作業のみで完了するため作業性において利点を有する。
【００４２】
図７に、ステップ取付構造の別の形態を示す。この形態は、マンホールの外壁面１ｂ側からナット締めして取付固定する構造のものである。
図７（ａ）に示すように、マンホールの壁部１には、ステップ２を取り付けるための取付孔３が壁部１を貫通して形成されている。取付孔３は円形状を有し、径の異なる２つの孔部分３ａ、３ｂからなり、その境には環状段部４が形成されている。
【００４３】
取付孔３にマンホールの内壁面１ａ側からステップ２の取付部９を挿入し、マンホールの外壁面１ｂ側からパッキン６とワッシャ７を介してナット５をねじ込む。一方、マンホールの内壁面１ａ側には、図５、６の形態と同様に、ステップ２に螺合させたカバーリング８を装着させおく。
【００４４】
図７（ｂ）は、ステップ２の一部分を示すものである。この形態は外壁面１ｂ側からナット５をねじ込む構造のものであり（図７（ａ）参照）、図５、６の形態のものと比較すると、ステップ８の取付部９の先端部近傍にねじ部１１が形成されている点で相違している。その他のステップの構造、及びカバーリング８については、図５、６の形態のものと同様である。
【００４５】
図７（ａ）、（ｂ）の形態においてステップ２をマンホールの壁部１に取り付けるには、まず先にカバーリング８を取付部９の雄ねじ部１０に螺合させ仮保持させた状態にする。この状態でステップ２の取付部９を、マンホールの壁部１に形成された取付孔３に挿入し、ねじ部１１にパッキン６とワッシャ７を介してナット５をねじ込み、パッキン６とワッシャ７を環状段部４に着座させる。このとき取付部９の先端部が取付孔３（孔部分３ａ）からマンホールの外壁面１ｂに突出しない深さにナット５をねじ込む。また、このとき雄ねじ部１０はマンホールの内側（内壁面１ａよりも内側）、すなわち取付孔３からマンホール内に飛び出して配設されている。その後、カバーリング８をねじ込み（雌ねじ部１２を雄ねじ部１０に螺合させ）カバーリング面８ａをマンホールの内壁面１ａに圧接させる。カバーリング8のねじ込み量によって内壁面１ａへの圧接強度を容易に調節し直すことができる。
【００４６】
これによりカバーリング８によって取付孔３のマンホール内壁面側開口部分は覆われる。取付孔３を形成する際に生じる内壁面側開口部の木端欠けはこのカバーリング８によって覆い隠される。また、カバーリング８は図５、６の形態と同様に剛性部材からなる形態のもの、あるいは弾性部材からなる形態のものが用いられ、剛性部材からなるカバーリング８を用いた場合には、内側と外側から支持するカバーリング８とナット５とによりステップ２はマンホールの壁部１に確実に固定される。特にカバーリング８によって内壁面側開口部におけるステップ２の緩み及びガタツキを抑えることができ取付強度を増すことができる。また、弾性材からなる形態のカバーリング８を用いた場合には、内壁面１ａへの圧接によりカバーリング８は内壁面１ａの形状に応じて変形し、内壁面１ａに密着する。
【００４７】
図８（ａ）、（ｂ）は、形状の異なるマンホールの壁部１に取り付けられたステップ２を示す。（ａ）は、円型のマンホールの壁部１に取り付けられたステップ２、すなわち曲面状の内壁面１ａ’に取り付けられたステップ２であり、（ｂ）は、四角のマンホール、すなわち平面状の内壁面１ａに取り付けられたステップ２である。カバーリング８の面は、ステップ２の取り付けられる内壁面１ａ、１ａ’に密着するように内壁面１ａ、１ａ’の形状に対応して形成されている。内壁面１ａ、１ａ’の形状が曲面状であるときは、カバーリング８の面はその曲面に密着するように曲面状に形成され、内壁面１ａ、１ａ’の形状が平面状であるときは、カバーリング８の面はその平面に密着するように平面状に形成される。なお、図８（ａ）、（ｂ）に示す形態は、マンホールの外壁面１ｂ、１ｂ’側からナット締めをする構造のものであるが、これに限定されず、例えば接着剤２１を使用して取付固定する構造のものであってもよい。
【００４８】
図９（ａ）、（ｂ）、（ｃ）に、異なる形状を有するカバーリングを示す。
（ａ）は、カバーリングの面（図において上下側の面）８ａ、８ｂが平面状に形成された形態のものであり、例えば開口部断面が四角のマンホール等のような平面状の壁面に取り付けられるステップに使用される。図５、図７、図８（ｂ）に使用されているカバーリング２はこれと同じ形態のものである。（ｂ）は、カバーリングの面８ａ’８ｂ’が傾斜角θを有した形態のものであり、傾斜状に形成された内壁面（図示は省略されている）に取り付けられるステップに使用される。傾斜角θは内壁面と密接するように内壁面の傾斜角と同じ角度に設定されている。（ｃ）は、カバーリングの面８ａ”、８ｂ”が曲面状に形成された形態のものであり、例えば開口部断面が円形のマンホール等のような曲面状の内壁面に取り付けられるステップに使用される。図８（ａ）に使用されているカバーリング２がこれと同じ形態のものである。ただしいずれの形態のカバーリングもその雌ねじ部１２は、装着されるステップの側部２ｂの軸方向に沿って形成されている。なお、図９（ｂ）、（ｃ）のカバーリング８は、雌ねじ部１２を除いた周辺部は弾性材から形成されている。
【００４９】
図１０は、カバーリング８の面に充填材を設けた実施の形態を示す。
充填材２５は、カバーリング８をステップに取り付けたとき、マンホールの内壁面に当接する側の面に設ける。また、外力を受けたとき、すなわちカバーリング８をねじ込んで内壁面に圧接させたとき変形する粘弾性を有した材料から成るもの、例えば、ブチルゴム、パテ等を使用する。カバーリング８をねじ込むことにより押しつぶされた充填材２５は、取付孔の内壁面側開口部に生じている木端欠け部分等の凹部を埋める。これによりカバーリング８と内壁面とは隙間なく密着する。
【図面の簡単な説明】
【００５０】
【図１】本発明に係るステップ取付構造の一形態を示す一部断面図である。
【図２】（ａ）は、マンホールに形成されたステップ取付孔の一形態を示す断面図である。（ｂ）は、取付孔に挿入されるスリーブの一形態を示す図である。（ｃ）は、ステップ側部の一形態を示す図である。（ｄ）は、カバーリングの一形態を示す断面図である。
【図３】本発明に係るステップ取付構造の別の一形態を示す一部断面図である。
【図４】（ａ）は、マンホールに形成されたステップ取付孔の一形態を示す断面図である。（ｂ）は、取付孔に挿入されるスリーブの一形態を示す図である。（ｃ）は、ステップ側部の一形態を示す図である。（ｄ）は、カバーリングの一形態を示す断面図である。
【図５】本発明に係るステップ取付構造の一形態を示す一部断面図である。
【図６】（ａ）は、本発明に係るステップ取付構造の、ステップの中央部から側部を表わす平面図である。（ｂ）は、ステップの側部に装着されるカバーリングを表わす断面図である。（ｃ）は、カバーリングの斜視図である。
【図７】（ａ）は、本発明に係るステップ取付構造の別の一形態を示す一部断面図である。（ｂ）は、（ａ）に示すステップの、中央部から側部を表わす平面図、及びステップの側部に装着されるカバーリングを表わす断面図である。
【図８】（ａ）は、マンホールに取り付けられたステップの一形態を示す図である。（ｂ）は、別の形状を有するマンホールに取り付けられたステップの一形態を示す図である。
【図９】（ａ）は、カバーリングの一形態を示す断面図である。（ｂ）は、別の形態のカバーリングを示す断面図である。（ｃ）は、さらに別の形態のカバーリングを示す断面図である。
【図１０】充填材を設けたカバーリングの一形態を示す断面図である。
【符号の説明】
【００５１】
１    壁部
１ａ  内壁面
１ｂ  外壁面
２    ステップ
２ａ  中央部
２ｂ  側部
３    取付孔
３ａ、３ｂ、３ｃ、３ｄ  孔部分
４    環状段部
５    ナット
８    カバーリング
９    取付部
１０  雄ねじ部
１２  雌ねじ部
２１  接着剤
２５  充填材
３０  スリーブ
３６  係止部（凸部、突起部）
３７  被係止部（凹部、凹溝部）
【図１】
0005146740.tif 000002
【図２】
0005146740.tif 000003
【図３】
0005146740.tif 000004
【図４】
0005146740.tif 000005
【図５】
0005146740.tif 000006
【図６】
0005146740.tif 000007
【図７】
0005146740.tif 000008
【図８】
0005146740.tif 000009
【図９】
0005146740.tif 000010
【図１０】
0005146740.tif 000011